(57)【要約】【課題】粘着テープの垂れ下げ部の不用意な貼り付きを防止し、しかも斜めに傾けてもテープ巻き装置を使用可能とする。【解決手段】粘着テープ１７を回転ドラム６の切欠開口８ａに沿って垂れ下げて供給する粘着テープ垂下機構で、粘着テープの垂れ下げ部１７ａを噴出エア４２で切欠開口側に押すエア噴出口２５ａを備える。また、粘着テープ１７を回転ドラム６の切欠開口８ａに沿って垂れ下げて供給する粘着テープ垂下機構で、粘着テープの垂れ下げ部を切欠開口側に吸引する吸引口２６ａを備える。また、粘着テープを回転ドラムの切欠開口に沿って垂れ下げて供給する粘着テープ垂下機構で、粘着テープの垂れ下げ部を噴出エアで切欠開口側に押すエア噴出口２５ａを上側に備え、垂れ下げ部を切欠開口側に吸引する吸引口２６ａを下側に備える。【選択図】図２
2008168925.tif 000002
【特許請求の範囲】
【請求項１】
粘着テープをテープ巻き用の回転ドラムの切欠開口に沿って垂れ下げて供給する粘着テープ垂下機構において、前記粘着テープの垂れ下げ部を噴出エアで前記切欠開口側に押すエア噴出口を備えることを特徴とする粘着テープ垂下機構。
【請求項２】
粘着テープをテープ巻き用の回転ドラムの切欠開口に沿って垂れ下げて供給する粘着テープ垂下機構において、前記粘着テープの垂れ下げ部を前記切欠開口側に吸引する吸引口を備えることを特徴とする粘着テープ垂下機構。
【請求項３】
粘着テープをテープ巻き用の回転ドラムの切欠開口に沿って垂れ下げて供給する粘着テープ垂下機構において、前記粘着テープの垂れ下げ部を噴出エアで前記切欠開口側に押すエア噴出口を上側に備え、該垂れ下げ部を該切欠開口側に吸引する吸引口を下側に備えることを特徴とする粘着テープ垂下機構。
【請求項４】
請求項１〜３の何れかに記載の粘着テープ垂下機構を備えたテープ巻き装置であって、前記回転ドラムの切欠部内に被結束体を前記粘着テープの垂れ下げ部と共に挿入した状態で、該回転ドラムの回転で該被結束体に該粘着テープを巻回することを特徴とする粘着テープ垂下機構を備えたテープ巻き装置。
【請求項５】
粘着テープをテープ巻き用の回転ドラムの切欠開口に沿って垂れ下げて供給し、該粘着テープの垂れ下げ部を上側のエア噴出口からの噴出エアで該切欠開口側に押し、及び／又は、該垂れ下げ部を下側の吸引口で該切欠開口側に吸引し、回転ドラムの切欠部内に被結束体を該垂れ下げ部と共に挿入し、該回転ドラムの回転で該被結束体に該粘着テープを巻回することを特徴とするテープ巻き方法。
【発明の詳細な説明】
【技術分野】
【０００１】
本発明は、粘着テープを電線等の被結束体に巻回させる回転ドラムの切欠開口側に垂れ下げて供給する粘着テープ垂下機構とそれを備えたテープ巻き装置及びテープ巻き方法に関するものである。
【背景技術】
【０００２】
図１０（ａ）は、従来の粘着テープ垂下機構を備えたテープ巻き装置の一実施形態を示すものである（特許文献１参照）。
【０００３】
このテープ巻き装置７１は、粘着テープ７２を螺旋状に巻いた粘着テープリール７３を支持するリール支持部７４と、粘着テープ７２を粘着テープリール７３から解いて前方に案内する複数のガイドローラ７５，７６と、前端のガイドローラ７６から粘着テープ７２をその粘着面が外側に位置するように垂れ下げて供給するケース７７の開口部７８と、開口部７８に切欠部７９の開口を位置させる回転ドラム８０と、回転ドラム８０を回転させる駆動機構とを備えたハンディタイプのものである。
【０００４】
粘着テープ垂下機構は、粘着テープ７２の垂れ下げ部７２ａを支持する前端側のガイドローラ７６と、ケース７７の前端上部の傾斜面７７ａと、傾斜面７７ａの下側に続く開口７８とで構成されている。粘着テープ７２は自重でガイドローラ７６から傾斜面７７ａを経て開口７８の下側まで垂れ下げられる。
【０００５】
その状態で、図１０（ｂ）の如く複数本の束状の電線８１が開口７８から回転ドラム８０の切欠部７９内に粘着テープ７２と共に挿入され、駆動機構で回転ドラム８０が矢印の如く回転し、その初期段階でカッタ８２で粘着テープ７２が切断され、回転ドラム８０の回転で粘着テープ７２が電線８１の外周に巻き付けられる。
【０００６】
駆動機構としては、上下のラック８３と、ラック８３に歯合した回転ドラム外周のギヤと、ラック８３を上下動させるガイド孔８４と、回転ドラム８０を前後移動させるエアシリンダ８５とを備えている。
【０００７】
図１１（ａ）は、従来の粘着テープ垂下機構とそれを備えたテープ巻き装置の他の形態を示すものである（特許文献２参照）。
【０００８】
このテープ巻き装置５０は、切欠部６１を有する回転ドラム５７と、回転ドラム５７を回転させる駆動機構５８と、テープ切断機構５９，６０と、粘着テープ５４をテープ切断機構を経て回転ドラム側に供給する供給機構５２とを備えた据え付けタイプのものである。
【０００９】
粘着テープ５４は粘着面を外側（上側）に向けた状態で、傾斜状のガイド板５６を経て回転ドラム５７の傾斜状の切欠部６１の開口６１ａに斜め方向から供給される。
【００１０】
図１１（ｂ）の如く、回転ドラム５７の切欠部６１内にはブラシ６２が対向して設けられ、ブラシ６２の間に束状の電線６３が粘着テープ５４と共に挿入され、回転ドラム５７が矢印方向に回転して、ブラシ６２との摩擦力で電線６３の外周に粘着テープ５４が巻き付けられる。
【００１１】
図１１（ａ）の形態では、粘着テープ５４が回転ドラム５７の開口６１ａに斜めに供給されるが、特許文献２には、回転ドラム５７の切欠部６１を水平に位置した状態で粘着テープ５４を自重で垂直に垂れ下げて供給する装置も提案されている。
【００１２】
この場合、テープ切断機構のカッタ（５９）も水平に配置され、カッタ（５９）の上方にエアノズル（図示せず）が配置され、カッタ（５９）に形成される間隙内に粘着テープ５４をタイミング良く挿通させるために、エアノズルからエアを吹き付けるようになっている。
【特許文献１】特開昭６２−２１５４６７号公報（図１）
【特許文献２】特開平９−１８３４１３号公報（図６）
【発明の開示】
【発明が解決しようとする課題】
【００１３】
しかしながら、上記従来の図１０の粘着テープ垂下機構を備えるテープ巻き装置７１にあっては、回転ドラム８０の開口７８に垂れ下げた粘着テープ７２が風や装置の移動等の影響で捲れ上がってケース７７等に不用意に貼り付いたり、粘着テープ７２同士が貼り付いたりし易く、その場合に、作業者が一々粘着テープ７２の貼り付きを解かなければならず、テープ巻き作業性が低下すると共に、巻き付けが汚くなったり、粘着力が低下するという問題があった。これは図１１のテープ巻き装置５０において垂直に粘着テープ５４を垂れ下げて供給するようにしたものにおいても同様である。
【００１４】
粘着テープ７２，５４の捲れ上がりを防ぐためには、硬めの粘着テープを使用するしかなく、それ以外でテープの貼り付きを防ぐために、例えば回転ドラム８０の開口の上側のケース部分７７に凹凸状の非粘着処理をした板状部材（図示せず）を配設したものがあるが、その場合でも、粘着テープ７２を自重で垂れ下げて使用するために、テープ巻き装置を横方向や下方向に斜めに傾けて使用することはできなかった。テープ巻き装置を斜めに傾けて使用しようとすれば、硬めで垂れ下げ方向の変わり難い粘着テープを使用するしかなかった。
【００１５】
これらの問題は、電線８１，６３に代えて、電線を覆うコルゲートチューブ（ハーネス保護チューブ）や、電線以外の線条体等を被結束体として用いた場合でも同様に生じ得るものである。
【００１６】
本発明は、上記した点に鑑み、粘着テープの種類を限ることなく、粘着テープの垂れ下げ部の不用意な貼り付きを防止することができ、しかも、斜めに傾けても使用することのできる粘着テープ垂下機構とそれを備えたテープ巻き装置及びテープ巻き方法を提供することを目的とする。
【課題を解決するための手段】
【００１７】
上記目的を達成するために、本発明の請求項１に係る粘着テープ垂下機構は、粘着テープをテープ巻き用の回転ドラムの切欠開口に沿って垂れ下げて供給する粘着テープ垂下機構において、前記粘着テープの垂れ下げ部を噴出エアで前記切欠開口側に押すエア噴出口を備えることを特徴とする。
【００１８】
上記構成により、エア噴出口から噴射された噴出エアが粘着テープの垂れ下げ部を回転ドラムの切欠開口側に押し付けることで、風やテープ巻き装置の移動等に起因する垂れ下げ部の捲れ上がりが阻止され、垂れ下げ部の粘着面が他の部位に不用意に付着することが防止される。垂れ下げ部が噴出エアで押圧されているから、垂れ下げ部を傾けても、垂れ下げ部が回転ドラムの切欠開口側から離れることはない。噴出エアで粘着テープを仮固定することで、硬めの粘着テープに限らず、柔軟性や伸長性の高い粘着テープの使用が可能となる。垂れ下げ部が噴出エアで押された状態で、電線等の被結束体が垂れ下げ部と共に回転ドラムの切欠開口（切欠部）内に挿入されて、回転ドラムの回転で被結束体に粘着テープが巻回される。
【００１９】
請求項２に係る粘着テープ垂下機構は、粘着テープをテープ巻き用の回転ドラムの切欠開口に沿って垂れ下げて供給する粘着テープ垂下機構において、前記粘着テープの垂れ下げ部を前記切欠開口側に吸引する吸引口を備えることを特徴とする。
【００２０】
上記構成により、吸引口から吸引されるエアと共に粘着テープの垂れ下げ部が吸引口に吸い寄せられ、回転ドラムの切欠開口側に保持されることで、風やテープ巻き装置の移動等に起因する垂れ下げ部の捲れ上がりが阻止され、垂れ下げ部の粘着面が他の部位に不用意に付着することが防止される。垂れ下げ部が吸引口に吸着されているから、垂れ下げ部を傾けても、垂れ下げ部が回転ドラムの切欠開口側から離れることはない。吸引作用で粘着テープを仮固定することで、硬めの粘着テープに限らず、柔軟性や伸長性の高い粘着テープの使用が可能となる。垂れ下げ部が吸引口に吸着された状態で、電線等の被結束体が垂れ下げ部と共に回転ドラムの切欠開口（切欠部）内に挿入されて、回転ドラムの回転で被結束体に粘着テープが巻回される。
【００２１】
請求項３に係る粘着テープ垂下機構は、粘着テープをテープ巻き用の回転ドラムの切欠開口に沿って垂れ下げて供給する粘着テープ垂下機構において、前記粘着テープの垂れ下げ部を噴出エアで前記切欠開口側に押すエア噴出口を上側に備え、該垂れ下げ部を該切欠開口側に吸引する吸引口を下側に備えることを特徴とする。
【００２２】
上記構成により、エア噴出口から噴射された噴出エアが粘着テープの垂れ下げ部を回転ドラムの切欠開口側すなわち吸引口側に押しつつ、吸引口がその垂れ下げ部を確実に吸い寄せて吸着させる。エアの噴出は吸着を促進させるためのものであってもよい。エアの噴出方向は吸引口に向かう方向であることが好ましい。これにより、風やテープ巻き装置の移動等に起因する垂れ下げ部の捲れ上がりが阻止され、垂れ下げ部の粘着面が他の部位に不用意に付着することが防止される。垂れ下げ部が少なくとも吸引口に吸着されているから、垂れ下げ部を傾けても、垂れ下げ部が回転ドラムの切欠開口側から離れることはない。噴出エアと吸引作用で粘着テープを仮固定することで、硬めの粘着テープに限らず、柔軟性や伸長性の高い粘着テープの使用が可能となる。垂れ下げ部が少なくとも吸引口に吸着された状態で、電線等の被結束体が垂れ下げ部と共に回転ドラムの切欠開口（切欠部）内に挿入されて、回転ドラムの回転で被結束体に粘着テープが巻回される。
【００２３】
請求項４に係る粘着テープ垂下機構を備えたテープ巻き装置は、請求項１〜３の何れかに記載の粘着テープ垂下機構を備えたテープ巻き装置であって、前記回転ドラムの切欠部内に被結束体を前記粘着テープの垂れ下げ部と共に挿入した状態で、該回転ドラムの回転で該被結束体に該粘着テープを巻回することを特徴とする。
【００２４】
上記構成により、請求項１〜３の何れかに記載の粘着テープ垂下機構の作用効果が発揮されて、粘着テープの垂れ下げ部が噴出エアや吸引で仮固定されて綺麗に伸ばされた状態から、被結束体と共に回転ドラムの切欠部内に確実に挿入されつつ被結束体の外周面に綺麗に且つ確実に接着される。
【００２５】
請求項５に係るテープ巻き方法は、粘着テープをテープ巻き用の回転ドラムの切欠開口に沿って垂れ下げて供給し、該粘着テープの垂れ下げ部を上側のエア噴出口からの噴出エアで該切欠開口側に押し、及び／又は、該垂れ下げ部を下側の吸引口で該切欠開口側に吸引し、回転ドラムの切欠部内に被結束体を該垂れ下げ部と共に挿入し、該回転ドラムの回転で該被結束体に該粘着テープを巻回することを特徴とする。
【００２６】
上記構成により、請求項１〜３の何れかに記載の発明と同様の作用効果が発揮され、粘着テープの垂れ下げ部が噴出エアや吸引で仮固定されて綺麗に伸ばされた状態から、被結束体と共に回転ドラムの切欠部内に確実に挿入されつつ被結束体の外周面に綺麗に且つ確実に接着される。
【発明の効果】
【００２７】
請求項１記載の発明によれば、噴出エアで粘着テープの垂れ下げ部の捲れ上がりが防止されるから、他部位への垂れ下がり部の不用意な接着や、垂れ下がり部自体の折返し接着等が防止され、垂れ下がり部の不用意な接着解除に要する手間や、接着解除せずに粘着テープを切除して廃却する手間や粘着テープの無駄が廃除され、回転ドラムによるテープ巻き作業がスムーズ且つ綺麗に確実に行われる。また、粘着テープの垂れ下げ部を傾けても、回転ドラムの切欠開口側から離れないから、電線等の被結束体の方向や作業者の姿勢等に応じてテープ巻き装置を傾けた状態でテープ巻きを行うことができ、テープ巻き作業性が向上する。また、粘着テープとして柔軟性や伸長性の高いもの等、種々のものを使用できるから、被結束体の種類等に応じてテープ巻き装置の汎用性が高まる。
【００２８】
請求項２記載の発明によれば、吸引作用で粘着テープの垂れ下げ部の捲れ上がりが防止されるから、他部位への垂れ下がり部の不用意な接着や、垂れ下がり部自体の折返し接着等が防止され、垂れ下がり部の不用意な接着解除に要する手間や、接着解除せずに粘着テープを切除して廃却する手間や粘着テープの無駄が廃除され、回転ドラムによるテープ巻き作業がスムーズ且つ綺麗に確実に行われる。また、粘着テープの垂れ下げ部を傾けても、回転ドラムの切欠開口側から離れないから、電線等の被結束体の方向や作業者の姿勢等に応じてテープ巻き装置を傾けた状態でテープ巻きを行うことができ、テープ巻き作業性が向上する。また、粘着テープとして柔軟性や伸長性の高いもの等、種々のものを使用できるから、被結束体の種類等に応じてテープ巻き装置の汎用性が高まる。
【００２９】
請求項３記載の発明によれば、エアの噴出と吸引との相乗効果で、あるいはエアの噴出で粘着テープの吸引が確実に行われて、粘着テープの垂れ下げ部の捲れ上がりが確実に防止されるから、他部位への垂れ下がり部の不用意な接着や、垂れ下がり部自体の折返し接着等が防止され、垂れ下がり部の不用意な接着解除に要する手間や、接着解除せずに粘着テープを切除して廃却する手間や粘着テープの無駄が廃除され、回転ドラムによるテープ巻き作業がスムーズ且つ綺麗に確実に行われる。また、粘着テープの垂れ下げ部を傾けても、回転ドラムの切欠開口側から離れないから、電線等の被結束体の方向や作業者の姿勢等に応じてテープ巻き装置を傾けた状態でテープ巻きを行うことができ、テープ巻き作業性が向上する。また、粘着テープとして柔軟性や伸長性の高いもの等、種々のものを使用できるから、被結束体の種類等に応じてテープ巻き装置の汎用性が高まる。
【００３０】
請求項４記載の発明によれば、請求項１〜３の何れかに記載の発明の効果に加えて、粘着テープの垂れ下げ部が噴出エアや吸引で綺麗に伸ばされた状態で被結束体と共に回転ドラムの切欠部内に確実に挿入されることで、被結束体の外周面に綺麗に且つ確実に接着され、巻回後のテープ巻き電線等の品質（商品価値）が高まる。
【００３１】
請求項５記載の発明によれば、請求項１〜３の何れかに記載の発明と同様の効果が発揮され、粘着テープの垂れ下げ部が噴出エアや吸引で綺麗に伸ばされた状態で被結束体と共に回転ドラムの切欠部内に確実に挿入されることで、被結束体の外周面に綺麗に且つ確実に接着され、巻回後のテープ巻き電線等の品質（商品価値）が高まる。
【発明を実施するための最良の形態】
【００３２】
図１（ａ）（ｂ）は、本発明に係る粘着テープ垂下機構とそれを備えたテープ巻き装置の一実施形態、図２は、同じく粘着テープ垂下機構とそれを用いたテープ巻き方法の一実施形態をそれぞれ示すものである。
【００３３】
図１（ａ）（ｂ）の如く、このテープ巻き装置１は、ケース２の前側に粘着テープ垂下機構８と回転ドラム６とテープ切断機構２１とを備え、ケース２の後側にテープ繰り出し機構５を備え、ケース２の中間部に、回転ドラム６やテープ切断機構２１やテープ繰り出し機構５を作動させるための駆動部４を備えている。
【００３４】
図２にも示す如く、粘着テープ垂下機構８は、ケース２の前端上部に配設されたエア噴出ノズル２５と、ケース２の前端下部に配設された吸引孔２６とを備えて構成されている。
【００３５】
ケース２の前端部は左右の垂直な両側壁３３の高さ方向中央にテーパ状の電線ガイド部３４を形成して構成され、上側の両側壁３３の間にエア噴出ノズル２５が斜め後方下向きに配置され、ノズル２５は一方の側壁３３に沿ってエア供給管３５として後方に配索され、エア供給管３５はホース（図示せず）を介してテープ巻き装置１とは別体の図示しないコンプレッサ又は工場エア配管に接続される。
【００３６】
テーパ状の電線ガイド部３４は両側壁３３の水平な切欠部分３６に続き、切欠部分３６はやや後方の回転ドラム６の切欠部８に通じている。エア噴出ノズル２５の先端のエア噴出口２５ａは切欠部分３６の開口下端側を向いている。
【００３７】
下側の両側壁３３の間にブロック部３７が配設され、ブロック部３７の前端面３７ａは垂直に形成されて、切欠部分の開口３６ａと同一面に位置し、ブロック部３７の後端面は傾斜面３７ｂとして回転ドラム６の外周面に近接対向している。
【００３８】
ブロック部３７に吸引孔２６が斜め下向きに設けられ、ブロック部３７の前端面３７ａに吸引孔２６の吸引口２６ａが開口し、吸引孔２６は後方の配管３８を経てテープ巻き装置１とは別体の図示しない真空吸引機に接続されている。吸引孔２６が斜めに形成されているから、吸引口２６ａは吸引孔２６の断面積よりも大きく規定されている。
【００３９】
吸引口２６ａは粘着テープ１７の幅方向に二つ設けられることが粘着テープ１７の幅方向の位置ずれに対処する上で好ましい。上側のエア噴出ノズル２５の突出方向に下側の吸引孔２６が延びている。すなわち、エア噴出ノズル２５の傾斜角度と吸引孔２６の傾斜角度とは近い値となっている。
【００４０】
粘着テープ１７は粘着面を外向きにした状態で、ケース上側のガイド板４０の水平面とガイド板４０の前端側の湾曲面４０ａから、湾曲面４０ａの下側に近接した一対のガイドローラ４１を経て、回転ドラム６の切欠部８の開口（切欠開口）８ａの前方に近接して、垂直に垂れ下げられる。粘着テープ１７の垂れ下げ部１７ａに向けて上側のエア噴出ノズル２５からエア（噴出エア）４２が噴出され、同時に、下側の吸引孔２６内のエア４３が矢印の如く真空吸引されて、エア４２の噴出で粘着テープ１７の垂れ下げ部１７ａの下側部分１７ａ’がブロック部３７の垂直な前端面３７ａに押し付けられ、エア４３の吸引で垂れ下げ部１７ａの下側部分１７ａ’がブロック部３７の前端面３７ａに密着保持される。
【００４１】
これにより、硬めの粘着テープに限らず柔軟な粘着テープや伸長性の高い粘着テープや薄い粘着テープ等、性質や材質の異なる粘着テープ１７を用いても、風やテープ巻き装置１の移動に起因する粘着テープ１７の垂れ下げ部１７ａの捲れ上がりが確実に防止され、また、テープ巻き装置１を横（幅）方向に斜めにしたり、装置前端を下向きに傾斜させたりしても、粘着テープ１７の垂れ下げ部１７ａがブロック部３７から離れないから、所望の姿勢でテープ巻きを行うことができる。
【００４２】
エア噴出ノズル２５の向きと吸引孔２６の向きとがほぼ同じであるから、エア噴出ノズル２５から噴射された（吹き出された）エア４２が粘着テープ１７の垂れ下げ部１７ａを回転ドラム６の切欠開口８ａ側（本例ではブロック部３７の前端面３７ａ）に押し付けつつ、エア４２がスムーズに吸引孔２６で吸引されて、垂れ下げ部１７ａの押し付け（密着）作用が効率良く確実に行われる。
【００４３】
図２において、金属製の回転ドラム６の上半側の外周に沿って金属製の円弧状の切断帯７が回動（進退）自在に配置され、切断帯７は先端にテープ押し部７ａを有し、回転ドラム６の外周に沿う環状帯１８（図１）の下半側の先端の固定刃１８ａと、テープ押し部７ａとで粘着テープ１７が剪断される。切断帯７はブロック部３７の傾斜面３７ｂに沿う空間３９内に進入する。切断帯７と環状帯１８とでテープ切断機構２１が構成される。
【００４４】
図１において、回転ドラム６の切欠部８の片側又は両側には電線チャック（図示せず）が配置され、複数本の束状の電線（被結束体）３３が回転ドラム６の切欠部８内に粘着テープ１７と共に挿入されると同時に、チャックで把持される。切欠部８は回転ドラム６の中心よりも深く形成されている。
【００４５】
図１において、駆動部４は、回転ドラム６を駆動する手段と、切断帯７を駆動する手段と、粘着テープ繰り出し機構５を駆動する手段とを備えている。以下に説明する駆動部４の構造はあくまでも一例であり、駆動部４の構造は必要に応じて適宜設定される。
【００４６】
回転ドラム６に一体に歯車９が設けられ、歯車９の上下に駆動用の一対の歯車１０，１１が歯合し、一対の歯車１０，１１はベルト１２等を介してモータ１３で同方向に回動され、何れか一方の歯車（１０又は１１）が回転ドラム６の切欠部８の位置に関係なく常時回転ドラム６を図１で反時計回りに駆動する。また、切断帯７の外周に図示しない円弧状ラック（ギヤ）が一体に設けられ、円弧状ラックに歯合した歯車１４がモータ１５で例えば９０゜程度の角度で駆動される。各モータ１３，１５はケース２に固定されている。
【００４７】
粘着テープ繰り出し機構５は、粘着テープリール１６を回動自在に保持する軸部２７と、軸部２７を設けた円形の回転板１９と、回転板１９の外周側に突設されたローラ柱状の一方向ベアリング２０及び複数の小径のピン状のガイドローラ（図示せず）と、一方向ベアリング２０の軸部２２に設けられた小歯車２３と、小歯車２３に歯合する大径のリング状の内歯車（固定歯車）２４とを備えている。
【００４８】
一方向ベアリング２０は反時計回りに自転し、内歯車２４に沿って時計回りに公転する。粘着テープリール１６とは紙筒２６の外側に粘着テープ１７を多数層に螺旋状に巻いたものを言う。内歯車２４の裏側において軸部２７の中心部に歯車（プーリ）２８が固定され、歯車２８に歯付きベルト２９が歯合し、ベルト２９は減速ベルト３０を介してモータ３１で駆動される。
【００４９】
回転板１９が時計回り（公転方向）に回転し、小歯車２３が内歯車２４に沿って回転し、一方向ベアリング２０が小歯車２３と一体に回転しつつ回転板１９と共に公転して、粘着テープ１７をテープリール１６から繰り出して（解いて）、前方のテープロック手段（図示せず）を経て回転ドラム６側へ供給する。
【００５０】
テープロック手段は、例えば切断帯７の円弧状ラックを駆動する歯車１４に連動するカム（図示せず）と、押さえローラ（図示せず）との間に粘着テープ１７を挟むものである。テープロック手段で粘着テープ１７を固定した状態で切断帯７によるテープ切断が行われる。
【００５１】
図３〜図９は、上記粘着テープ垂下機構８の作用、すなわち粘着テープ垂下機構８を用いて粘着テープ１７を束状の電線３３に巻き付ける方法の一形態を示すものである。
【００５２】
図３において、符号６は回転ドラム、１８は、回転ドラム外周面に沿って位置する環状帯、７は、環状帯外周面に沿って位置する切断帯、２５はエア噴出ノズル、３７はブロック部、２６は吸引孔、２６は吸引口、４１はガイドローラをそれぞれ示している。切断帯７は図２のものと較べて先端部の形状を少し変更して示している。
【００５３】
図３において、切断帯は後退し、回転ドラム６の切欠部８が水平に位置し、切欠部８の開口８ａが前側に位置している。粘着テープ１７は切断帯７の先端側とガイドローラ４１との間を通って下側のブロック部３７の前端面に沿って垂れ下げられ、その状態で吸引孔２６の真空吸引によって垂れ下げ部１７ａの下端部分が矢印の如く吸引口２６ａで吸引されている。上側のエア噴出ノズル２５は作動していない。
【００５４】
図４の如く、テープ等で未だ結束されていない束状の電線３３が作業者の手作業で粘着テープ１７の垂れ下げ部１７ａと共に回転ドラム６の切欠部８内に挿入され、粘着テープ１７の粘着面が電線３３の外周面に軽く接着される。垂れ下げ部１７ａの下端部分は吸引口２６ａに密着しつつ切欠部８内に引き込まれて吸引口２６ａから離れる。この時点で吸引孔２６のエア吸引動作は例えば切欠部８内の電線センサ（図示せず）で停止されることが好ましい。電線３３は外側のチャック（図示せず）で把持される。
【００５５】
図４で切欠部８内の電線３３が例えば電線センサ（図示せず）で検知されると、図５の如く、粘着テープ１７がテープリール１６（図１）から繰り出されつつ、回転ドラム６が矢印の如く反時計回りに略半回転し、電線３３に粘着テープ１７が略一巻きほど一次巻きされる。粘着テープ１７は切欠部８から回転ドラム６の外周面と環状帯１８の内周面に沿って配索される。なお、図３〜図９において、回転ドラム６と環状帯１８との間には粘着テープ１７を挿通させる隙間が設けられているが、図では隙間を省略している。
【００５６】
次いで図６の如く、切断帯７が反時計回りに回動して、切断帯７の先端側のテープ押し部７ａで粘着テープ１７を下に押すことにより、環状帯１８の下側の固定刃１８ａにより粘着テープ１７が剪断される。なお、テープ押し部７ａに刃部（可動刃）を設けてもよい。この場合、刃部（７ａ）を下に押すことにより、刃部（７ａ）で粘着テープ１７を剪断する。この場合は環状帯１８に刃部１８ａを設けずにテープ押し部を設けてもよい。切断帯７は粘着テープ１７を引き出す作用と、固定刃１８ａとの間で粘着テープ１７を切断する作用とを有する。
【００５７】
図７の如く、テープ切断後に回転ドラムが矢印の如く反時計回りに回動し、電線の外周に粘着テープが複数巻きに二次巻きされる。切断帯７は回転ドラム６の回転中は図６のまま閉まっていることが好ましく、テープ巻き修了と同時に後退し、回転ドラム６の切欠部８が水平に位置し、切欠部８の開口８ａが前側に露出される。図６のテープ切断後に切断帯７を後退させることも可能ではある。図７において、粘着テープ１７の垂れ下げ部１７ａの下端部分はブロック部３７と内側のガイド板４４との間に入り込んでいるので、切断帯７の上昇（後退）時に摩擦で捲れ上がることはない。
【００５８】
図８の如く、作業者がテープ巻き電線４５を回転ドラム６の切欠部８から取り出し、その際に粘着テープ１７の垂れ下げ部１７ａが捲れ上がるが、例えば切欠部８内の電線センサ（図示せず）がテープ巻き電線４５の取り出しを検知して、図９の如く、上側のエア噴出ノズル２５からエア４２が垂れ下げ部１７ａに向けて矢印の如く噴射されると同時に、下側の吸引孔２６でエアが矢印の如く真空吸引されて、垂れ下げ部１７ａの下端部分がブロック部３７の吸引口２６ａに吸引密着される。
【００５９】
これにより、図８における垂れ下げ部１７ａの大きな捲れ上がりが阻止され、垂れ下げ部１７ａがテープ巻き装置１等の他の部位に不用意に接着したり、垂れ下げ部１７ａが折り返されて相互に接着されることが確実に防止され、次の電線３３（図３〜図４）のテープ巻き作業がスムーズ且つ確実に行われる。
【００６０】
また、垂れ下げ部１７ａがブロック部３７に吸着固定されるから、テープ巻き装置１（図１）を横方向に傾けたり、前下がりに傾けて使用することができ、特にハンディタイプのテープ巻き装置（図示せず）において、電線３３の配索位置等に合わせてテープ巻き装置を移動や位置決め操作することができ、テープ巻き作業性が向上する。図１のテープ巻き装置１をハンディタイプにするには、駆動部４やテープ繰り出し機構を小型化すればよい。
【００６１】
図９において、エア噴出ノズル２５の動作はタイマー等で制御され、図３の次の電線待ち状態では停止している。下側のエア吸引孔２６の動作のみで粘着テープ１７の垂れ下げ部１７ａの保持を行っている。図３の待ち状態でも図９の如くエア噴出を行わせることは可能である。
【００６２】
なお、上記実施形態においては、上側のエア噴出ノズル２５と下側の吸引孔２６との両方を設けたが、例えば上側のエア噴出ノズル２５のみ、または下側の吸引孔２６のみを設けることも有効である。
【００６３】
また、エア噴出口２５ａは環状のノズル２５の先端に形成したが、ノズル２５に代えて例えば吸引孔２６のような噴出孔（図示せず）の先端にエア噴出口２５ａを形成することも可能である。この場合、下側のブロック部３７と同様なブロック部（図示せず）を上側に配設し、そのブロック部に噴出孔を形成する。また、下側の吸引孔２６に代えてエア噴出ノズル２５のようなノズル（図示せず）を用い、その先端に吸引口２６ａを形成することも可能である。これらは必要に応じて適宜設定可能である。
【図面の簡単な説明】
【００６４】
【図１】本発明に係る粘着テープ垂下機構を備えたテープ巻き装置の一実施形態を示す、（ａ）は平面図、（ｂ）は正面図である。
【図２】粘着テープ垂下機構とそれを用いたテープ巻き方法の一実施形態を示すテープ正面図である。
【図３】粘着テープ垂下機構の作用及びテープ巻き方法として、粘着テープの垂れ下げ部を吸引固定した状態を示す正面図である。
【図４】電線を回転ドラム内にセットした状態を示す正面図である。
【図５】電線を粘着テープで一次巻きした状態を示す正面図である。
【図６】粘着テープを切断した状態を示す正面図である。
【図７】電線を粘着テープで二次巻き完了した状態を示す正面図である。
【図８】テープ巻き電線を取り出した状態を示す正面図である。
【図９】粘着テープの垂れ下げ部をエア吹き出しと吸引で捲れ防止した状態を示す正面図である。
【図１０】従来のテープ垂下機構を備えたテープ巻き装置の一形態を示す、（ａ）は正面図、（ｂ）は回転ドラムの正面図である。
【図１１】従来のテープ垂下機構を備えたテープ巻き装置の他の形態を示す、（ａ）は正面図、（ｂ）は回転ドラムの正面図である。
【符号の説明】
【００６５】
１      テープ巻き装置
６      回転ドラム
８ａ    切欠開口
１７    粘着テープ
１７ａ  垂れ下げ部
２５ａ  エア噴出口
２６ａ  吸引口
３３    電線（被結束体）
４２    噴出エア
【図１】
2008168925.tif 000003
【図２】
2008168925.tif 000004
【図３】
2008168925.tif 000005
【図４】
2008168925.tif 000006
【図５】
2008168925.tif 000007
【図６】
2008168925.tif 000008
【図７】
2008168925.tif 000009
【図８】
2008168925.tif 000010
【図９】
2008168925.tif 000011
【図１０】
2008168925.tif 000012
【図１１】
2008168925.tif 000013